(57)【特許請求の範囲】
【請求項１】
軸心回りに捻回することにより電気回路の接続状態を切り換える捻回式の操作スイッチの先端部に嵌合する凹部を備え、当該凹部を前記先端部に嵌合させた状態において当該先端部から離間する方向に延出するソケット部と、
前記ソケット部の延出方向に交差する方向を長手方向として延出し、長手方向における中心部から偏心した位置において前記ソケット部と連結するハンドル部と、
を備えたことを特徴とするスイッチ操作用アダプタ。
【請求項２】
前記凹部は、前記ソケット部における前記ハンドル部側から先端側の方向に開口していることを特徴とする請求項１に記載のスイッチ操作用アダプタ。
【請求項３】
前記凹部は、前記ソケット部における前記ハンドル部側よりも前記先端側の方が大きく開口するテーパー形状をなすことを特徴とする請求項２に記載のスイッチ操作用アダプタ。
【請求項４】
前記凹部は、前記ソケット部における前記ハンドル部側よりも先端側の方が幅が広くなるように開口するテーパー形状をなすことを特徴とする請求項１または２に記載のスイッチ操作用アダプタ。
【請求項５】
前記凹部は、前記ソケット部における前記先端側から前記ハンドル部側に向かう方向に沿って段階的に幅が小さくなる段形状をなすことを特徴とする請求項２に記載のスイッチ操作用アダプタ。
【請求項６】
前記凹部の内面は、滑り止め加工が施されていることを特徴とする請求項１〜５のいずれか一つに記載のスイッチ操作用アダプタ。
【請求項７】
前記ソケット部は、少なくとも先端部が透明な材料によって形成されていることを特徴とする請求項１〜６のいずれか一つに記載のスイッチ操作用アダプタ。
【請求項８】
前記ハンドル部は、略紡錘形をなすことを特徴とする請求項１〜７のいずれか一つに記載のスイッチ操作用アダプタ。
【発明の詳細な説明】
【技術分野】
【０００１】
この発明は、スイッチ操作に用いるスイッチ操作用アダプタに関する。
【背景技術】
【０００２】
送配電システムにおいては、発電所で作られた電力を複数の変電所において段階的に電圧を下げながら各家庭や各施設などに送配電する。このような送配電システムにおいては、各変電所に設置された電気設備（現場機器）を、制御所に設置された制御所装置によって遠隔操作することによって管理している。このような制御所装置は、現場機器を遠隔操作するための各種スイッチが設けられた制御盤を備えている。
【０００３】
制御所装置が備えるスイッチは、遠隔操作する現場機器の数や当該現場機器における遠隔操作の対象となる箇所の数と同数設けられている。近年、遠隔操作する現場機器の数や当該現場機器における遠隔操作の対象となる箇所の数の増加にともなって、制御盤に設けられるスイッチの数が増加している。
【０００４】
このようなスイッチの数の増加にともなって、制御盤に設けられる各スイッチの大きさは、従来のスイッチと比較して小型化されている。また、制御盤に設けられる各スイッチの大きさは、近年の制御盤の小型化にともなって、従来のスイッチと比較して小型化されている。
【０００５】
制御盤に設けられたスイッチには、操作者が把持して捻ることによって操作をおこなう捻回式の操作スイッチがある。このような捻回式の操作スイッチは、上記のように小型化されると手全体で握ることが難しくなる。この場合、操作者は、指先、具体的には第一指および第二指のみの指先で、捻回式の操作スイッチをつまんだ状態で当該操作スイッチを捻回させることによって操作する。
【０００６】
捻回式の操作スイッチに関する技術として、従来、内視鏡の操作部に配設された湾曲操作ノブに対して着脱自在な操作ノブアタッチメントにおいて、湾曲操作ノブにおける情報表示部が露呈する形状に形成された切り欠き部を設けた技術があった（たとえば、下記特許文献１を参照）。
【先行技術文献】
【特許文献】
【０００７】
【特許文献１】特開２００７−２２２６５１号公報
【発明の概要】
【発明が解決しようとする課題】
【０００８】
しかしながら、上述したように、捻回式の操作スイッチが小型化されると当該操作スイッチが掴みにくくなる。このため、上述したような、捻回式の操作スイッチを手や手指を使って捻回させる従来の方法は、小型化された捻回式の操作スイッチを操作対象とする場合、当該操作スイッチに力を加えにくくなり、操作性に劣るという問題があった。
【０００９】
また、第１指および第２指のみで捻回状態を維持する従来の方法は、たとえば、現地機器の試運転時など、小型化された捻回式の操作スイッチを長時間捻回し続けた状態にする必要がある場合に、汗などによって捻回式の操作スイッチに対して指先が滑りやすく、現地機器の運転状態を一定に保つことが難しいという問題があった。試運転時に現地機器の運転状態が変化すると、当該試運転にかかる現地機器を含む設備のトラブルを生じたり、試運転に失敗してしまうという問題があった。
【００１０】
また、第１指および第２指のみで捻回状態を維持する従来の方法は、たとえば、小型化された捻回式の操作スイッチに対して指先が滑ってしまうことがないように、当該操作スイッチを長時間強い力で捻回し続けることにより、第１指および第２指が疲労したり皮膚が擦過症になったりする場合があるという問題があった。
【００１１】
上述したように、捻回式の操作スイッチを含む各種の操作スイッチの小型化は、数が増えた操作スイッチを限られた制御盤内のスペースに配置するためにおこなわれている。このため、上記の不具合に対する対策として、小型化された操作スイッチを大きい操作スイッチに取り替えることは難しい。また、既設の小型化された操作スイッチを大きい操作スイッチに取り替えることは、多額の費用がかかるため実現性に劣る。また、上述したように、捻回式の操作スイッチを含む各種の操作スイッチの小型化は制御盤を小型化することを目的としているため、上記の不具合に対する対策として大きい操作スイッチに取り替えることは好ましくない。
【００１２】
また、小型の操作スイッチが設けられている制御盤においては、当該制御盤を小型化するためにスイッチどうしの間隔が狭く、上記の不具合に対する対策として大きい操作スイッチに取り替えると、操作時に、操作対象とする操作スイッチが当該操作スイッチの隣の操作スイッチに接触してしまい、不要な操作スイッチを意図せずに操作してしまうことが懸念される。このため、小型化された操作スイッチを大きい操作スイッチに取り替えることは難しい。
【００１３】
この発明は、上述した従来技術による問題点を解消するため、小型化された捻回式の操作スイッチを容易かつ確実に操作することができるスイッチ操作用アダプタを提供することを目的とする。
【課題を解決するための手段】
【００１４】
上述した課題を解決し、目的を達成するため、この発明にかかるスイッチ操作用アダプタは、軸心回りに捻回することにより電気回路の接続状態を切り換える捻回式の操作スイッチの先端部に嵌合する凹部を備え、当該凹部を前記先端部に嵌合させた状態において当該先端部から離間する方向に延出するソケット部と、前記ソケット部の延出方向に交差する方向を長手方向として延出し、長手方向における中心部から偏心した位置において前記ソケット部と連結するハンドル部と、を備えたことを特徴とする。
【００１５】
また、この発明にかかるスイッチ操作用アダプタは、上記の発明において、前記凹部が、前記ソケット部の先端および外周面の方向に開口していることを特徴とする。
【００１６】
また、この発明にかかるスイッチ操作用アダプタは、上記の発明において、前記凹部が、前記ソケット部における前記ハンドル部側よりも前記先端側の方が大きく開口するテーパー形状をなすことを特徴とする。
【００１７】
また、この発明にかかるスイッチ操作用アダプタは、上記の発明において、前記凹部が、前記ソケット部における内周側よりも外周面側の方が幅が広くなるように開口するテーパー形状をなすことを特徴とする。
【００１８】
また、この発明にかかるスイッチ操作用アダプタは、上記の発明において、前記凹部は、前記ソケット部における前記先端側から前記ハンドル部側に向かう方向に沿って段階的に幅が小さくなる段形状をなすことを特徴とする。
【００１９】
また、この発明にかかるスイッチ操作用アダプタは、上記の発明において、前記凹部の内面が、滑り止め加工が施されていることを特徴とする。
【００２０】
また、この発明にかかるスイッチ操作用アダプタは、上記の発明において、前記ソケット部が、少なくとも先端部が透明な材料によって形成されていることを特徴とする。
【００２１】
また、この発明にかかるスイッチ操作用アダプタは、上記の発明において、前記ハンドル部が、略紡錘形をなすことを特徴とする。
【発明の効果】
【００２２】
この発明にかかるスイッチ操作用アダプタによれば、小型化された捻回式の操作スイッチを容易かつ確実に操作することができるという効果を奏する。
【図面の簡単な説明】
【００２３】
【図１】この発明にかかる実施の形態１のスイッチ操作用アダプタを示す説明図である。
【図２】この発明にかかる実施の形態１のスイッチ操作用アダプタにおける各部の寸法を示す説明図（その１）である。
【図３】図２におけるＸ矢視図である。
【図４】この発明にかかる実施の形態１のスイッチ操作用アダプタにおける各部の寸法を示す説明図（その２）である。
【図５】この発明にかかる実施の形態１のスイッチ操作用アダプタにおける各部の寸法を示す説明図（その３）である。
【図６】スイッチ操作用アダプタの使用例を示す説明図（その１）である。
【図７】スイッチ操作用アダプタの使用例を示す説明図（その２）である。
【図８】この発明にかかる実施の形態２のスイッチ操作用アダプタを示す説明図である。
【図９】この発明にかかる実施の形態３のスイッチ操作用アダプタを示す説明図である。
【発明を実施するための形態】
【００２４】
以下に添付図面を参照して、この発明にかかるスイッチ操作用アダプタの好適な実施の形態を詳細に説明する。
【００２５】
（実施の形態１）
まず、この発明にかかる実施の形態１のスイッチ操作用アダプタの構成について説明する。図１は、この発明にかかる実施の形態１のスイッチ操作用アダプタを示す説明図である。図１においては、この発明にかかる実施の形態１のスイッチ操作用アダプタの斜視図を示している。
【００２６】
図１において、この発明にかかる実施の形態１のスイッチ操作用アダプタ１００は、ソケット部１１０とハンドル部１２０とを備えている。ソケット部１１０は、略円筒形状をなす。ソケット部１１０は、円筒形状の外周面の一部を円筒の軸心に沿って切り落とした、いわゆる「かまぼこ」形状であってもよい。
【００２７】
ソケット部１１０の先端（ハンドル部１２０とは反対側の端部）には、凹部１１１（嵌め込み口）が設けられている。凹部１１１は、ソケット部１１０の先端および外周面の方向に開口している。すなわち、凹部１１１は、ソケット部１１０の先端および外周面の２面方向に開口している。これにより、凹部１１１は、ソケット部１１０がなす円柱の先端における角部から内側に凹むスリット形状をなしている。
【００２８】
また、凹部１１１は、ソケット部１１０におけるハンドル部１２０側よりも先端側の方が大きく開口するテーパー形状をなしている。これにより、凹部１１１の、ソケット部１１０の軸心方向に直交する平面における形状（断面形状）が、外周面側ほど拡開する台形をなしている（図４を参照）。凹部１１１の、ソケット部１１０の軸心方向に直交する平面における形状（断面形状）は、略「Ｕ」字形状、あるいは、略「Ｖ」字形状であってもよい。
【００２９】
また、凹部１１１は、ソケット部１１０における内周側よりも外周面側の方が大きく開口するテーパー形状をなしている。これにより、凹部１１１の、ソケット部１１０の軸心方向に平行な平面における形状（断面形状）が、先端側ほど拡開する台形をなしている（図５を参照）。凹部１１１の、ソケット部１１０の軸心方向に平行な平面における形状（断面形状）は、略「Ｕ」字形状、あるいは、略「Ｖ」字形状であってもよい。
【００３０】
凹部１１１の内面は、滑り止め加工が施されている。滑り止め加工は、たとえば、凹部１１１の内面に滑り止め部材を露出した状態で設けることによって実現することができる。滑り止め部材は、たとえば、シリコンやゴムのような摩擦係数の高い材料を凹部１１１の内面にコーティングすることによって設けられている。あるいは、ソケット部１１０を、シリコンやゴムのような摩擦係数の高い材料によって形成することによって、凹部１１１の内面に滑り止め加工を施すようにしてもよい。
【００３１】
凹部１１１は、スイッチ操作用アダプタ１００の使用時において、捻回式の操作スイッチの先端部に嵌合される。ソケット部１１０は、操作スイッチの先端部に凹部１１１を嵌合させた状態において、当該先端部から離間する方向に延出している。ソケット部１１０の長さ方向の寸法（高さ寸法）は、操作対象とする捻回式の操作スイッチの形状および当該捻回式の操作スイッチの周囲の操作スイッチの形状や、操作対象とする捻回式の操作スイッチと周囲の操作スイッチとの間隔の大きさなどによって適宜設定することができる。
【００３２】
具体的には、ソケット部１１０の長さ方向の寸法は、操作対象とする捻回式の操作スイッチ（図６や図７における符号６００を参照）にスイッチ操作用アダプタ１００を取り付けた際に、ハンドル部１２０が、操作対象とする捻回式の操作スイッチの周囲の操作スイッチに接触しない寸法に設定する。また、具体的には、ソケット部１１０の長さ方向の寸法は、操作対象とする捻回式の操作スイッチにスイッチ操作用アダプタ１００を取り付けた際に、ハンドル部１２０および当該ハンドル部１２０を握る作業者の手や指が、操作対象とする捻回式の操作スイッチの周囲の操作スイッチに接触しない寸法に設定する。
【００３３】
捻回式の操作スイッチは、制御盤（図６や図７における符号６１０を参照）などに設けられ、たとえば、ダイヤルなどのように、軸心回りに捻回することにより電気回路の接続状態を切り換える。具体的には、捻回式の操作スイッチは、たとえば、制御盤に取り付けられた軸部と、軸部の先端に設けられたハンドルとを備えている。このような捻回式の操作スイッチは、軸部（図６および図７における符号６０１を参照）とハンドル（図６および図７における符号６０２を参照）とによって略Ｌ字形状をなしている。
【００３４】
捻回式の操作スイッチは、各変電所に設置された電気設備（現場機器）を遠隔操作する制御盤において、複数並べて配置される。制御盤は、現場機器が設置された現場とは異なる、当該現場から離間した制御所に設置される。制御盤には、捻回式の操作スイッチを含み、現場機器を遠隔操作するための各種の操作スイッチが設けられている。捻回式の操作スイッチを含む各種の操作スイッチは、遠隔操作する現場機器の数や当該現場機器における遠隔操作の対象となる箇所の数と同数設けられている。
【００３５】
近年、遠隔操作する現場機器の数や当該現場機器における遠隔操作の対象となる箇所の数の増加にともなって、制御盤に設けられるスイッチの数が増加している。このため、スイッチの数の増加にともなって、従来のスイッチと比較して、制御盤に設けられる各スイッチの大きさが小型化され、かつ、操作スイッチどうしの間隔が狭くなっている。各スイッチの大きさを小型化し、操作スイッチどうしの間隔を狭くすることによって、制御盤の小型化を図ることができる。
【００３６】
ハンドル部１２０は、略紡錘形（ラグビーボール形状）をなす。ハンドル部１２０は、円柱状であって、中心部分が太く、両端側がしだいに細くなる形状をなす。ソケット部１１０とハンドル部１２０は、ハンドル部１２０の長手方向における中心部から偏心した位置において連結されている。ソケット部１１０とハンドル部１２０は、一体に成型することができる。ソケット部１１０とハンドル部１２０とは、それぞれが別々に形成され、接着するなどして連結されていてもよい。
【００３７】
ハンドル部１２０は、表面が平滑なものに限らず、凹凸が設けられていてもよい。凹凸は、たとえば、スイッチ操作用アダプタ１００の使用時に作業者の手指が接する部分に設けた窪みによって実現することができる。また、凹凸は、たとえば、スイッチ操作用アダプタ１００の使用時に作業者の手指が接する部分に、当該手指に沿った形状に設けてもよい。
【００３８】
図２は、この発明にかかる実施の形態１のスイッチ操作用アダプタ１００における各部の寸法を示す説明図である。図２において、符号Ａは、ハンドル部１２０の長さ方向の寸法を示している。ハンドル部１２０の長さ方向の寸法Ａは、具体的には、たとえば８０ｍｍ程度とすることが好ましい。
【００３９】
図２において、符号Ｂは、ハンドル部１２０の太さ方向の寸法（直径）のうち、最大となる部分における寸法を示している。ハンドル部１２０の最大となる部分における太さ方向の寸法Ｂは、ハンドル部１２０の長さ方向の寸法Ａよりも小さい。ハンドル部１２０の最大となる部分における太さ方向の寸法Ｂは、たとえば、ハンドル部１２０の長さ方向の寸法Ａの半分以下の寸法とすることが好ましい。具体的には、ハンドル部１２０の最大となる部分における太さ方向Ｂは、たとえば３０ｍｍ程度とすることが好ましい。
【００４０】
寸法Ａ、Ｂをこのように設定することにより、作業者の握りやすさを確保し、握った際の安定感を与えることができる。これにより、作業者は、操作スイッチを確実に操作することができる。
【００４１】
図２において、符号Ｃは、ソケット部１１０の長さ方向の寸法を示している。ソケット部１１０の長さ方向の寸法Ｃは、たとえば４０ｍｍ程度とすることが好ましい。上記のように、ソケット部１１０の長さ方向の寸法Ｃは、凹部１１１の深さ（凹部１１１における、ソケット部１１０の長さ方向と平行な方向の寸法）に応じて適宜設定することができる。
【００４２】
図２において、符号Ｄは、ソケット部１１０の太さ方向の寸法（直径）を示している。ソケット部１１０の太さ方向の寸法（直径）Ｄは、たとえば２７ｍｍ程度とすることができる。凹部１１１がソケット部１１０の外周面に向かって開口しているため、ソケット部１１０の太さ方向の寸法（直径）Ｄは、操作対象とする捻回式の操作スイッチにおけるハンドルの長さ寸法よりも小さくすることができる。これにより、スイッチ操作用アダプタ１００の小型化を図ることができる。
【００４３】
上記のように、ソケット部１１０とハンドル部１２０は、ハンドル部１２０の長手方向における中心部から偏心した位置において連結されているため、図２における符号Ｅで示す寸法と符号Ｆで示す寸法とは異なっている。具体的に、図２において符号Ｅで示す部分は、たとえば、２０ｍｍ程度とすることが好ましい。この場合、図２において符号Ｆで示す部分は、３３ｍｍ程度となる。
【００４４】
図３は、図２におけるＸ矢視図である。図３に示すように、ソケット部１１０の幅方向の寸法Ｇは、ハンドル部１２０の最大となる部分における太さ方向の寸法Ｂよりも小さい。ソケット部１１０の幅方向の寸法Ｇを、ハンドル部１２０の最大となる部分における太さ方向の寸法Ｂよりも小さくすることにより、作業者の握りやすさを確保し、握った際の安定感を与えることができる。これにより、作業者は、操作スイッチを確実に操作することができる。凹部１１１は、ソケット部１１０の直径方向において、当該ソケット部１１０の略中央部分に設けられている。
【００４５】
図４は、この発明にかかる実施の形態１のスイッチ操作用アダプタ１００における各部の寸法を示す説明図である。図４においては、ソケット部１１０を、当該ソケット部１１０の長さ方向に沿って当該ソケット部１１０の先端側から見た状態を示している。図４において、符号Ｈは、ソケット部１１０の軸心方向に直交する平面においてテーパー形状をなす凹部１１１の、最大となる位置の寸法を示している。寸法Ｈは、具体的には、たとえば２０ｍｍ程度とすることが好ましい。図４において、符号Ｉは、ソケット部１１０の軸心方向に直交する平面においてテーパー形状をなす凹部１１１の、最小となる位置の寸法を示している。寸法Ｉは、具体的には、たとえば１０ｍｍ程度とすることが好ましい。
【００４６】
図５は、この発明にかかる実施の形態１のスイッチ操作用アダプタ１００における各部の寸法を示す説明図である。図５においては、ソケット部１１０を、当該ソケット部１１０の軸心を通り当該軸心に平行な平面で切断した断面を示している。図５において、符号Ｊは、ソケット部１１０の軸心方向に平行な平面においてテーパー形状をなす凹部１１１の、最大となる位置の寸法を示している。寸法Ｊは、具体的には、たとえば２０ｍｍ程度とすることが好ましい。図５において、符号Ｋは、ソケット部１１０の軸心方向に平行な平面においてテーパー形状をなす凹部１１１の、最小となる位置の寸法を示している。寸法Ｋは、具体的には、たとえば１０ｍｍ程度とすることが好ましい。
【００４７】
図６および図７は、スイッチ操作用アダプタ１００の使用例を示す説明図である。スイッチ操作用アダプタ１００は、たとえば、図６に示したように、作業者の手６２０で把持して使用する。このように、スイッチ操作用アダプタ１００を作業者の手６２０で把持することにより、捻回式の操作スイッチ６００とスイッチ操作用アダプタ１００との接点を支点とし、てこの原理を利用して、捻回式の操作スイッチ６００の軸部６０１を小さな力で確実に回転させることができる。これにより、捻回式の操作スイッチ６００を容易かつ確実に操作することができる。
【００４８】
また、スイッチ操作用アダプタ１００は、たとえば、図７に示したように作業者の手６２０で把持して使用することができる。この場合、作業者は、ソケット部１１０を間にして第２指と第３〜５指とを離し、第２指をスイッチ操作用アダプタ１００の先端に引っ掛けた状態で把持して使用する。このように把持することにより、捻回式の操作スイッチ６００とスイッチ操作用アダプタ１００とを確実に噛み合わせ、捻回式の操作スイッチ６００に対してより確実に回転力をかけることができる。
【００４９】
以上説明したように、この発明にかかる実施の形態１のスイッチ操作用アダプタ１００は、軸心回りに捻回することにより電気回路の接続状態を切り換える捻回式の操作スイッチ６００の先端部に嵌合する凹部１１１を備え、当該凹部１１１を前記先端部に嵌合させた状態において当該先端部から離間する方向に延出するソケット部１１０と、前記ソケット部１１０の延出方向に交差する方向を長手方向として延出し、長手方向における中心部から偏心した位置において前記ソケット部１１０と連結するハンドル部１２０と、を備えたことを特徴としている。
【００５０】
この発明にかかる実施の形態１のスイッチ操作用アダプタ１００によれば、作業者は、凹部１１１を捻回式の操作スイッチ６００の先端部に嵌め合わせた状態でハンドル部１２０を握り、当該ハンドル部１２０を動かすことによって捻回式の操作スイッチ６００を操作することができる。
【００５１】
これにより、この発明にかかる実施の形態１のスイッチ操作用アダプタ１００によれば、小型化された捻回式の操作スイッチ６００を容易かつ確実に操作することができる。また、これにより、この発明にかかる実施の形態１のスイッチ操作用アダプタ１００によれば、小型化された捻回式の操作スイッチ６００を備える既設の設備を改修することなく活用することができる。
【００５２】
また、この発明にかかる実施の形態１のスイッチ操作用アダプタ１００によれば、捻回式の操作スイッチ６００を捻回する際に当該捻回式の操作スイッチ６００の動作抵抗などに起因して作業者にかかる負担を、ハンドル部１２０を握る手の平全体で受けることができる。これにより、この発明にかかる実施の形態１のスイッチ操作用アダプタ１００によれば、捻回式の操作スイッチ６００を指先のみを使って捻回する場合と比較して疲労を軽減し、皮膚が擦過症になることを防止できる。
【００５３】
この発明にかかる実施の形態１のスイッチ操作用アダプタ１００によれば、特に、捻回式の操作スイッチ６００が、バネなどを用いて定位置に付勢されている場合に、捻回式の操作スイッチ６００を捻回することにより当該捻回式の操作スイッチ６００から受ける反発力による作業者の負担を軽減し、捻回式の操作スイッチ６００を長時間捻回し続けた状態にする作業における作業者の疲労を軽減し、皮膚が擦過症になることを防止できる。
【００５４】
また、この発明にかかる実施の形態１のスイッチ操作用アダプタ１００は、操作対象とする捻回式の操作スイッチ６００にスイッチ操作用アダプタ１００を取り付けた際に、ハンドル部１２０（およびハンドル部１２０を握る作業者の手や指）が、操作対象とする捻回式の操作スイッチ６００の周囲の操作スイッチに接触しないように、ソケット部１１０の長さ方向の寸法を調整している。これにより、この発明にかかる実施の形態１のスイッチ操作用アダプタ１００によれば、スイッチ操作用アダプタ１００（のハンドル部１２０）が操作対象ではない操作スイッチに干渉することを防止し、小型化された捻回式の操作スイッチ６００を容易かつ確実に操作することができる。
【００５５】
さらに、これにより、この発明にかかる実施の形態１のスイッチ操作用アダプタ１００によれば、ハンドル部１２０が操作対象ではない操作スイッチに接触することによって当該操作対象ではない操作スイッチを意図せず動かしてしまう誤操作を防止することができる。これにより、この発明にかかる実施の形態１のスイッチ操作用アダプタ１００によれば、小型化された捻回式の操作スイッチ６００を容易かつ確実に操作することができる。
【００５６】
また、この発明にかかる実施の形態１のスイッチ操作用アダプタ１００は、凹部１１１が、ソケット部１１０の先端および外周面の方向に開口していることを特徴としている。この発明にかかる実施の形態１のスイッチ操作用アダプタ１００によれば、捻回式の操作スイッチ６００の軸心方向に平行な方向（水平方向）や軸心方向に直交する方向（垂直方向）およびその間の任意の方向から、凹部１１１を捻回式の操作スイッチ６００の先端部に嵌め合わせることができる。これによって、この発明にかかる実施の形態１のスイッチ操作用アダプタ１００によれば、操作対象とする捻回式の操作スイッチ６００に対するスイッチ操作用アダプタ１００の着脱を容易におこなうことができ、小型化された捻回式の操作スイッチ６００の操作にかかる作業性を向上させることができる。
【００５７】
また、この発明にかかる実施の形態１のスイッチ操作用アダプタ１００は、凹部１１１が、ソケット部１１０の先端および外周面の方向に開口しているため、ハンドル６０２の長さにかかわらず、ハンドル６０２における軸部６０１との連結部分周辺に取り付けることによって、捻回式の操作スイッチ６００を操作することができる。これにより、この発明にかかる実施の形態１のスイッチ操作用アダプタ１００は、ハンドル６０２の長さが異なる複数種類の捻回式の操作スイッチ６００を操作対象とすることができる。このように、複数種類の捻回式の操作スイッチ６００を操作対象とすることができるので、操作対象とする捻回式の操作スイッチ６００にあわせて複数のスイッチ操作用アダプタ１００を準備することなく、一つのスイッチ操作用アダプタ１００を用いて捻回式の操作スイッチ６００を操作することができる。
【００５８】
また、この発明にかかる実施の形態１のスイッチ操作用アダプタ１００は、凹部１１１が、ソケット部１１０におけるハンドル部１２０側よりも先端側の方が大きく開口するテーパー形状をなすことを特徴としている。また、この発明にかかる実施の形態１のスイッチ操作用アダプタ１００は、凹部１１１が、ソケット部１１０における内周側よりも外周面側の方が大きく開口するテーパー形状をなすことを特徴としている。
【００５９】
具体的には、この発明にかかる実施の形態１のスイッチ操作用アダプタ１００は、凹部１１１の、ソケット部１１０の軸心方向に平行な平面における形状（断面形状）が略「Ｕ」字形状、あるいは、略「Ｖ」字形状をなすように形成されている。これにより、この発明にかかる実施の形態１のスイッチ操作用アダプタ１００によれば、ハンドル６０２の大きさが異なる複数種類の捻回式の操作スイッチ６００を操作対象とすることができる。
【００６０】
具体的には、たとえば、ハンドル６０２の大きさが大きい捻回式の操作スイッチ６００であれば、凹部１１１の、テーパー形状をなすことにより拡開した部分においてハンドル６０２に接触し、ハンドル６０２の大きさが小さい捻回式の操作スイッチ６００であれば、凹部１１１の奥においてハンドル６０２に接触するよう調整することができ、当該調整によって、ハンドル６０２の大きさが異なる複数種類の捻回式の操作スイッチ６００を操作対象とすることができる。
【００６１】
これにより、この発明にかかる実施の形態１のスイッチ操作用アダプタ１００によれば、複数種類の捻回式の操作スイッチ６００を操作対象とすることができるので、操作対象とする捻回式の操作スイッチ６００にあわせて複数のスイッチ操作用アダプタ１００を準備することなく、一つのスイッチ操作用アダプタ１００を用いて捻回式の操作スイッチ６００を操作することができる。
【００６２】
また、この発明にかかる実施の形態１のスイッチ操作用アダプタ１００によれば、凹部１１１のテーパー形状を利用して、捻回式の操作スイッチ６００の先端を凹部１１１の奥に誘導するようにして、スイッチ操作用アダプタ１００を捻回式の操作スイッチ６００に取り付けることができる。これにより、この発明にかかる実施の形態１のスイッチ操作用アダプタ１００によれば、容易かつ確実に、スイッチ操作用アダプタ１００を捻回式の操作スイッチ６００に取り付けることができる。
【００６３】
また、この発明にかかる実施の形態１のスイッチ操作用アダプタ１００は、凹部１１１の内面において、滑り止め加工が施されていることを特徴としている。この発明にかかる実施の形態１のスイッチ操作用アダプタ１００によれば、凹部１１１を捻回式の操作スイッチ６００の先端部に嵌め合わせた状態において、スイッチ操作用アダプタ１００と先端部とが滑ることを防止できる。これにより、この発明にかかる実施の形態１のスイッチ操作用アダプタ１００によれば、小型化された捻回式の操作スイッチ６００の操作にかかる作業性を向上させることができる。
【００６４】
また、この発明にかかる実施の形態１のスイッチ操作用アダプタ１００は、ソケット部１１０の少なくとも先端部を透明な材料によって形成してもよい。この場合、ソケット部１１０を形成する透明な材料は、絶縁性の高い材料を用いることが好ましい。
【００６５】
このようなスイッチ操作用アダプタ１００を構成することにより、スイッチ操作用アダプタ１００の凹部１１１に捻回式の操作スイッチ６００が確実に嵌ったことを目視によって確認することができる。これによって、このようなスイッチ操作用アダプタ１００によれば、捻回式の操作スイッチ６００が、小型化により高密度に配置されている場合であっても、スイッチ操作用アダプタ１００の凹部１１１に捻回式の操作スイッチ６００が確実に嵌ったことを確認することができ、作業性の向上を図ることができる。
【００６６】
また、この発明にかかる実施の形態１のスイッチ操作用アダプタ１００は、ハンドル部１２０が、略紡錘形をなすことを特徴としている。これにより、この発明にかかる実施の形態１のスイッチ操作用アダプタ１００によれば、作業者がハンドル部１２０をしっかり確実に握ることができ、捻回式の操作スイッチ６００を確実に操作することができるので、作業性の向上を図ることができる。
【００６７】
（実施の形態２）
つぎに、この発明にかかる実施の形態２のスイッチ操作用アダプタについて説明する。この発明にかかる実施の形態２のスイッチ操作用アダプタは、上述した実施の形態１で説明したスイッチ操作用アダプタと比較して、凹部の形状が異なっている。実施の形態２においては、上述した実施の形態１と同一部分は同一符号で示し、説明を省略する。
【００６８】
図８は、この発明にかかる実施の形態２のスイッチ操作用アダプタを示す説明図である。図８においては、この発明にかかる実施の形態２のスイッチ操作用アダプタが備えるソケット部１１０を、当該ソケット部１１０の軸心を通り当該軸心に平行な平面で切断した断面を示している。
【００６９】
図８において、この発明にかかる実施の形態２のスイッチ操作用アダプタ８００は、内壁面が段形状をなす凹部８０１を備えている。凹部８０１の内壁８０１ａは、凹部８０１におけるソケット部１１０の外周面からの距離（凹部８０１の奥行き）が、ソケット部１１０における先端側からハンドル部１２０側に向かう方向に沿って段階的に小さくなる段形状をなしている。具体的には、ソケット部１１０の先端側における凹部８０１の寸法Ｊは、ソケット部１１０のハンドル部１２０側における凹部８０１の寸法Ｌよりも大きい。これにより、凹部８０１の内側の空間は、ソケット部１１０における先端側の方がハンドル部１２０側よりも広くなるように、段階的に変化している。
【００７０】
捻回式の操作スイッチ６００の操作に際して、作業者は、スイッチ操作用アダプタ８００における凹部８０１内で、操作対象とする操作スイッチの先端部が嵌り込む段のうちもっとも大きさの小さい段に当該先端部を突き当てて接触させる。ハンドル６０２の大きさが大きい捻回式の操作スイッチ６００であれば、ソケット部１１０の先端側に近い、凹部８０１の拡開した部分において、ハンドル６０２に接触する。ハンドル６０２の大きさが小さい捻回式の操作スイッチ６００であれば、凹部８０１の奥においてハンドル６０２に接触する。作業者は、この状態でスイッチ操作用アダプタ８００のハンドル部１２０を握って、操作対象とする操作スイッチの軸部６０１を回転させる。
【００７１】
以上説明したように、この発明にかかる実施の形態２のスイッチ操作用アダプタ８００は、凹部８０１が、ソケット部１１０における先端側からハンドル部１２０側に向かう方向に沿って段階的に幅が小さくなる段形状をなすことを特徴としている。
【００７２】
この発明にかかる実施の形態２のスイッチ操作用アダプタ８００によれば、操作対象とする操作スイッチの先端部の大きさに応じて、当該スイッチの先端部に凹部８０１の内壁８０１ａ面を当接させることにより、内壁８０１ａ面と先端部との接触面積を増やすことができる。これによって、作業者が、スイッチ操作用アダプタ８００を介して操作スイッチの軸部６０１を回転させる力を、捻回式の操作スイッチ６００に確実に伝え、当該操作スイッチを安定かつ確実に操作することができる。
【００７３】
また、この発明にかかる実施の形態２のスイッチ操作用アダプタ８００によれば、ハンドル６０２の大きさが異なる複数種類の捻回式の操作スイッチ６００を操作対象とすることができる。これにより、この発明にかかる実施の形態２のスイッチ操作用アダプタ８００によれば、操作対象とする捻回式の操作スイッチ６００にあわせて複数のスイッチ操作用アダプタ８００を準備することなく、一つのスイッチ操作用アダプタ８００を用いて捻回式の操作スイッチ６００を操作することができる。
【００７４】
（実施の形態３）
つぎに、この発明にかかる実施の形態３のスイッチ操作用アダプタについて説明する。この発明にかかる実施の形態３のスイッチ操作用アダプタは、上述した実施の形態１および実施の形態２で説明したスイッチ操作用アダプタ１００、８００と比較して、凹部の形状が異なっている。実施の形態３においては、上述した実施の形態１および実施の形態２と同一部分は同一符号で示し、説明を省略する。
【００７５】
図９は、この発明にかかる実施の形態３のスイッチ操作用アダプタを示す説明図である。図９においては、この発明にかかる実施の形態３のスイッチ操作用アダプタを、外周面側に開口する凹部に正対して見た状態を示している。図９において、この発明にかかる実施の形態３のスイッチ操作用アダプタ９００は、内壁面が段形状をなす凹部９０１を備えている。
【００７６】
凹部９０１は、凹部９０１の奥行き方向に直交する方向（凹部９０１の幅方向）の寸法が、ソケット部１１０における先端側からハンドル部１２０側に向かう方向に沿って段階的に小さくなる段形状をなしている。これにより、凹部９０１の幅方向の寸法は、ソケット部１１０における先端側の方がハンドル部１２０側よりも広くなるように、段階的に変化している。
【００７７】
捻回式の操作スイッチ６００の操作に際して、作業者は、スイッチ操作用アダプタ９００における凹部９０１内で、操作対象とする操作スイッチの先端部が嵌り込む段のうちもっとも大きさの小さい段に当該先端部を突き当てて接触させる。ハンドル６０２の大きさが大きい捻回式の操作スイッチ６００であれば、ソケット部１１０の先端側に近い、幅が広い部分において、ハンドル６０２に接触する。ハンドル６０２の大きさが小さい捻回式の操作スイッチ６００であれば、ハンドル部１２０側に近い、幅が狭い部分において、ハンドル６０２に接触する。作業者は、この状態でスイッチ操作用アダプタ９００のハンドル部１２０を握って、操作対象とする操作スイッチの軸部６０１を回転させる。
【００７８】
以上説明したように、この発明にかかる実施の形態３のスイッチ操作用アダプタ９００によれば、操作対象とする捻回式の操作スイッチ６００にあわせて複数のスイッチ操作用アダプタ９００を準備することなく、一つのスイッチ操作用アダプタ９００を用いて捻回式の操作スイッチ６００を操作することができ、かつ、複数種類の大きさの捻回式の操作スイッチ６００をそれぞれ安定かつ確実に操作することができる。
【産業上の利用可能性】
【００７９】
以上のように、この発明にかかるスイッチ操作用アダプタは、スイッチ操作に用いるスイッチ操作用アダプタに有用であり、特に、捻回式の操作スイッチのスイッチ操作に用いるスイッチ操作用アダプタに適している。
【符号の説明】
【００８０】
１００  スイッチ操作用アダプタ
１１０  ソケット部
１２０  ハンドル部
１１１  凹部
６００  捻回式の操作スイッチ
６０１  軸部
６０２  ハンドル
【図１】
0005555309.tif 000002
【図２】
0005555309.tif 000003
【図３】
0005555309.tif 000004
【図４】
0005555309.tif 000005
【図５】
0005555309.tif 000006
【図６】
0005555309.tif 000007
【図７】
0005555309.tif 000008
【図８】
0005555309.tif 000009
【図９】
0005555309.tif 000010